(57)【要約】【課題】生体情報を測定することが可能であり、さらに被施療者がリラックスした姿勢を取りやすいマッサージ機を提供する。【解決手段】マッサージ機１は、アームレスト１４の表面の一部を形成する第１の導電部５８Ａおよび第２の導電部５８Ｂと、第１の導電部５８Ａと電気的に接続された第１の電線５１と、第２の導電部５８Ｂと電気的に接続された第２の電線５２とを備え、第２の導電部５８Ｂから第２の電線５２に供給される電流に基づいて被施療者の生体情報である掌の発汗量を測定するための測定部５０を備える。【選択図】図２Ａ
2016101379.tif 000002
【特許請求の範囲】
【請求項１】
身体を支持する支持部と、
導電性および柔軟性を有する材料により形成され、前記支持部の表面を形成する第１の導電部および第２の導電部を含み、前記第１の導電部および前記第２の導電部を流れる電流と、前記第１の導電部と前記第２の導電部との電位差との少なくとも一方を測定するための測定部と
を備えるマッサージ機。
【請求項２】
前記材料は導電糸または導電テープである
請求項１に記載のマッサージ機。
【請求項３】
前記第１の導電部および前記第２の導電部は前記支持部の前後方向に延びている、または、前記支持部の前後方向に複数形成されている
請求項１または２に記載のマッサージ機。
【請求項４】
前記測定部は前記支持部を覆う布地を備え、前記布地に前記第１の導電部および前記第２の導電部が形成される
請求項１〜３のいずれか一項に記載のマッサージ機。
【請求項５】
前記布地は、絶縁性の糸により形成される絶縁部と、前記絶縁部に縫われ、互いに絶縁される導電糸である前記第１の導電部および前記第２の導電部とを備える
請求項４に記載のマッサージ機。
【請求項６】
前記測定部により測定される前記電流および前記電位差の少なくとも一方に基づいて生体情報を求める制御部をさらに備える
請求項１〜５のいずれか一項に記載のマッサージ機。
【請求項７】
前記制御部は前記生体情報である精神性発汗に関する情報を求める
請求項６に記載のマッサージ機。
【請求項８】
前記制御部に接続される第１の電線および第２の電線と、前記第１の導電部と前記第１の電線とを接続する第１の金属端子と、前記第２の導電部と前記第２の電線とを接続する第２の金属端子とをさらに備える
請求項６または７に記載のマッサージ機。
【請求項９】
前記支持部に配置される施療部をさらに備え、前記第１の導電部および前記第２の導電部は前記施療部上に配置される
請求項１〜８のいずれか一項に記載のマッサージ機。
【請求項１０】
前記支持部はアームレストである
請求項１〜９のいずれか一項に記載のマッサージ機。
【請求項１１】
前記支持部はオットマンである
請求項１〜９のいずれか一項に記載のマッサージ機。
【発明の詳細な説明】
【技術分野】
【０００１】
本発明は、マッサージ機に関する。
【背景技術】
【０００２】
生体情報を測定する測定部を備えるマッサージ機が知られている。生体情報は例えば被施療者の脈拍、皮膚電気抵抗、または、皮膚温度である。そのマッサージ機の一例である特許文献１のマッサージ機は、身体をマッサージする施療部、アームレストに取り付けられる測定部、および、測定部の測定結果に基づいて施療部を制御する制御部を備える。測定部は、指を支持する台、および、台との間に指を挟み込むカバーを備える。被施療者の指が台に載せられ、台とカバーとの間に指が挟まれている状態において、被施療者の生体情報が測定部により測定される。
【先行技術文献】
【特許文献】
【０００３】
【特許文献１】特開２００２−２３３５０６号公報
【発明の概要】
【発明が解決しようとする課題】
【０００４】
被施療者は、アームレストに載せた手の位置がリラックスしにくい位置である場合、リラックスした姿勢が取れるように手の位置を変更する。しかし、特許文献１のマッサージ機によれば、アームレスト上に測定部が固定されているため、被施療者が上述のように手の位置を変更しようとしたときに望ましい手の位置への変更が測定部により阻害されるおそれがある。
【０００５】
本発明の目的は、生体情報を測定することが可能であり、さらに被施療者がリラックスした姿勢を取りやすいマッサージ機を提供することである。
【課題を解決するための手段】
【０００６】
本発明に従うマッサージ機の一形態は、身体を支持する支持部と、導電性および柔軟性を有する材料により形成され、前記支持部の表面を形成する第１の導電部および第２の導電部を含み、前記第１の導電部および前記第２の導電部を流れる電流と、前記第１の導電部と前記第２の導電部との電位差との少なくとも一方を測定するための測定部とを備える。
【発明の効果】
【０００７】
上記マッサージ機の一形態によれば、生体情報を測定することが可能であり、さらに被施療者がリラックスした姿勢を取りやすくなる。
【図面の簡単な説明】
【０００８】
【図１】は実施の形態のマッサージ機の斜視図である。
【図２Ａ】は図１のアームレストの平面図である。
【図２Ｂ】は布地の一部の拡大図である。
【図３】は図２の３−３線の断面図である。
【図４】は図３の矢視Ｙから見た底面図である。
【図５Ａ】は布地に手が載せられていない状態のアームレストの一部の平面図である。
【図５Ｂ】は布地に手が載せられた状態のアームレストの一部の平面図である。
【図６】は変形例のマッサージ機のアームレストの平面図である。
【図７】は別の変形例のマッサージ機のアームレストの平面図である。
【図８】はさらに別の変形例のマッサージ機のアームレストの平面図である。
【発明を実施するための形態】
【０００９】
（マッサージ機が取り得る形態の一例）
〔１〕本発明に従うマッサージ機の一形態によれば、身体を支持する支持部と、導電性および柔軟性を有する材料により形成され、前記支持部の表面を形成する第１の導電部および第２の導電部を含み、前記第１の導電部および前記第２の導電部を流れる電流と、前記第１の導電部と前記第２の導電部との電位差との少なくとも一方を測定するための測定部とを備える。
【００１０】
本マッサージ機によれば、第１の導電部および第２の導電部の両方に身体が接触したとき、身体を介して第１の導電部および第２の導電部が導通する。このため、第１の導電部および第２の導電部を流れる電流、および、第１の導電部と第２の導電部との電位差を測定することにより、身体に流れる電気を求めることができる。また、生体情報と、身体に流れる電気とは相関関係を有する。このため、マッサージ機は、第１の導電部および第２の導電部を流れる電流と、第１の導電部と第２の導電部との電位差との少なくとも一方を測定することにより、生体情報を測定することができる。
【００１１】
さらに、支持部の表面を形成する第１の導電部および第２の導電部は、特許文献１の測定部と比較して、支持部の形状に対する凹凸が小さくなるため、第１の導電部および第２の導電部に被施療者の身体を阻害しにくくなる。このため、被施療者がリラックスした姿勢を取りやすくなる。
【００１２】
〔２〕前記マッサージ機の一例によれば、前記材料は導電糸または導電テープである。
〔３〕前記マッサージ機の一例によれば、前記第１の導電部および前記第２の導電部は前記支持部の前後方向に延びている、または、前記支持部の前後方向に複数形成されている。
【００１３】
被施療者の身体の大きさや支持部に接触するときの被施療者の姿勢に応じて支持部の前後方向において支持部に身体が接触する位置が異なる。一方、本マッサージ機によれば、第１の導電部および第２の導電部が支持部の前後方向に延びる、または、支持部の前後方向に複数形成されているため、支持部に身体が接触する位置が異なったとしても身体が第１の導電部および第２の導電部に接触しやすくなる。
【００１４】
〔４〕前記マッサージ機の一例によれば、前記測定部は前記支持部を覆う布地を備え、前記布地に前記第１の導電部および前記第２の導電部が形成される。
本マッサージ機によれば、布地から第１の導電部および第２の導電部が突出しにくくなるため、被施療者の身体をより阻害しにくくなる。したがって、被施療者がリラックスした姿勢をより取りやすくなる。
【００１５】
〔５〕前記マッサージ機の一例によれば、前記布地は、絶縁性の糸により形成される絶縁部と、前記絶縁部に縫われ、互いに絶縁される導電糸である前記第１の導電部および前記第２の導電部とを備える。
【００１６】
本マッサージ機によれば、第１の導電部および第２の導電部と布地とにより一枚の布となるため、第１の導電部および第２の導電部が支持部の表面の形状と同形状となる。これにより、第１の導電部および第２の導電部が被施療者の身体をより一層阻害しにくくなる。したがって、被施療者がリラックスした姿勢をより一層取りやすくなる。
【００１７】
〔６〕前記マッサージ機の一例によれば、前記測定部により測定される前記電流および前記電位差の少なくとも一方に基づいて生体情報を求める制御部をさらに備える。
〔７〕前記マッサージ機の一例によれば、前記制御部は前記生体情報である精神性発汗に関する情報を求める。
【００１８】
支持部が精神性発汗する部位を支持した状態でマッサージ機が被施療者をマッサージしたとき、精神性発汗量に応じて測定部により測定された測定値である電流または電圧が異なる。このため、被施療者の精神性発汗量が求められる。
【００１９】
〔８〕前記マッサージ機の一例によれば、前記制御部に接続される第１の電線および第２の電線と、前記第１の導電部と前記第１の電線とを接続する第１の金属端子と、前記第２の導電部と前記第２の電線とを接続する第２の金属端子とをさらに備える。
【００２０】
本マッサージ機によれば、第１の金属端子を介して第１の導電部と第１の電線とが電気的に接続され、第２の金属端子を介して第２の導電部と第２の電線とが電気的に接続される。このため、各導電部と各電線との電気的な接続を容易に実現することができる。
【００２１】
〔９〕前記マッサージ機の一例によれば、前記支持部に配置される施療部をさらに備え、前記第１の導電部および前記第２の導電部は前記施療部上に配置される。
本マッサージ機によれば、施療部により身体において支持部に支持される部分がマッサージされたとしても、測定部が身体において支持部に支持される部分と接触することによる違和感を被施療者が覚えることを抑制することができる。
【００２２】
〔１０〕前記マッサージ機の一例によれば、前記支持部はアームレストである。
〔１１〕前記マッサージ機の一例によれば、前記支持部はオットマンである。
（実施の形態）
図１〜図４を参照して、マッサージ機１の構成について説明する。
【００２３】
図１に示されるように、マッサージ機１は、座部１１を備える椅子１０、被施療者の身体を施療するための施療部２０、マッサージ機１の動作を選択するために操作可能である操作部３０、および、マッサージ機１の動作を制御する制御部４０を備える。
【００２４】
椅子１０は、座部１１、座部１１の後端部に取り付けられた背もたれ１２、座部１１の前端部に取り付けられたオットマン１３、および、座部１１の両側に取り付けられ、身体を支持する支持部の一例であるアームレスト１４を備える。アームレスト１４の前方部分には、アームレスト１４に対して接近および離間する上肢カバー１５が回転可能に取り付けられている。座部１１、背もたれ１２、オットマン１３、および、アームレスト１４の表面は革張りされている。
【００２５】
施療部２０は、背もたれ１２の内部に取り付けられた背中施療部２１、オットマン１３の内部に取り付けられた下肢施療部２２、および、アームレスト１４および上肢カバー１５の内部に取り付けられた上肢施療部２３を備える。背中施療部２１の一例は背もたれ１２の長手方向に移動可能な揉み玉機構であり、下肢施療部２２および上肢施療部２３の一例はエアーバッグである。
【００２６】
操作部３０は、複数のマッサージコースの中から１つのマッサージコースを選択する選択ボタンやマッサージコースを実行する開始ボタン（ともに図示略）等を備える。
制御部４０は、操作部３０が操作されることにより選択されたマッサージコースに基づいて施療部２０の動作を制御する。
【００２７】
図２Ａに示されるように、マッサージ機１は、マッサージにより変化する生体に関する情報である生体情報を測定する測定部５０を備える。測定部５０は、アームレスト１４に取り付けられている。生体情報の一例は、被施療者が施療部２０のマッサージに起因する痛みや緊張状態によりリラックスできていないときに発生する精神性発汗である。精神性発汗する身体の部位は、掌、足裏、および、脇の下が挙げられる。本実施形態では、精神性発汗する身体の部位として掌の発汗量を測定部５０により測定する。なお、図２Ａは、説明の便宜上、上肢カバー１５を省略して示している。
【００２８】
測定部５０は、導電性および柔軟性を有する材料の一例である布地５５を備える。布地５５は、アームレスト１４の前方の一部の表面を覆う革に形成された四角形の開口部の周縁に縫い付けられている。布地５５は、アームレスト１４の前方の一部の表面を構成している。図２Ｂに示されるように、布地５５は、導電糸５６と絶縁性の糸である絶縁糸５７とが織り込まれることにより構成されている。導電糸５６の一例は、銀糸である。
【００２９】
図２Ａに示されるように、布地５５は、導電糸５６により構成された第１の導電部５８Ａおよび第２の導電部５８Ｂ、ならびに、絶縁糸５７により構成された絶縁部５９に区分される。第１の導電部５８Ａおよび第２の導電部５８Ｂは、アームレスト１４の短手方向の中央において短手方向に離間し、アームレスト１４の長手方向となる前後方向に延びている。各導電部５８Ａ，５８Ｂは、布地５５の前端部から後端部にわたり形成されている。第１の導電部５８Ａと第２の導電部５８Ｂとの間に形成された絶縁部５９により第１の導電部５８Ａと第２の導電部５８Ｂとが電気的に絶縁されている。
【００３０】
図２Ａに示されるように、布地５５の第１の導電部５８Ａは第１の金属板５３と電気的に接続され、第２の導電部５８Ｂは第２の金属板５４と電気的に接続されている。第１の金属板５３は第１の電線５１と電気的に接続され、第２の金属板５４は第２の電線５２と電気的に接続されている。第１の電線５１および第２の電線５２は制御部４０と電気的に接続されている。
【００３１】
図３に示されるように、布地５５の後端部は、各導電部５８Ａ，５８Ｂ（図２Ａ参照）を含めて裏側に折り返されている。布地５５の後端部には、第１の金属板５３が取り付けられている。
【００３２】
図４に示されるように、第１の金属板５３は、矩形状の平板である板本体５３Ａを有する。板本体５３Ａの前端部には前方に延びる縮小部５３Ｂが形成されている。縮小部５３Ｂの前端部には、第１の金属板５３の幅方向に延びる先端部５３Ｃが形成されている。
【００３３】
板本体５３Ａの後端部には、第１の導電部５８Ａと板本体５３Ａとが接触するように布地５５の後端部に縫い付けられている。このため、図３に示されるように、第１の金属板５３は、先端部５３Ｃに向かうにつれて布地５５から離間する方向に傾斜している。
【００３４】
図４に示されるように、縮小部５３Ｂには、第１の電線５１が巻き付けられている。第１の電線５１は、例えば半田付けにより縮小部５３Ｂに固定されている。板本体５３Ａの前端部および先端部５３Ｃの後端部により第１の電線５１において縮小部５３Ｂに巻き付けられた部分の前方または後方への移動が規制される。
【００３５】
なお、第２の金属板５４（図２Ａ参照）は、第１の金属板５３と同様の形状であり、第１の金属板５３と第１の導電部５８Ａおよび第１の電線５１との接続構造と同様に第２の導電部５８Ｂおよび第２の電線５２（ともに図２Ａ参照）と接続されている。
【００３６】
次に、図５Ａおよび図５Ｂを参照して、マッサージ機１の動作について説明する。
マッサージ機１の主電源がオンとなるとき、交流電源１００の交流電力が制御部４０に供給される。制御部４０は、制御部４０に内蔵されたＡＣ／ＤＣコンバータ（図示略）により交流電力を直流電力に変換する。そして制御部４０は、各電線５１，５２と各金属板５３，５４を介して布地５５の第１の導電部５８Ａと第２の導電部５８Ｂとの間に電圧を供給する。制御部４０は、マッサージ機１の主電源がオンとなったときから操作部３０（図１参照）により選択されたマッサージコースが終了するまで第１の導電部５８Ａと第２の導電部５８Ｂとの間に電圧を供給する。
【００３７】
図５Ａに示されるように、例えば手が布地５５上に載せられていないとき、第１の導電部５８Ａと第２の導電部５８Ｂとが導通しない。このため、第２の導電部５８Ｂから第２の電線５２に流れる電流が「０」となる。このため、測定部５０は、掌の発汗量を測定しない。これにより、制御部４０は、操作部３０により選択されたマッサージプログラムに基づくマッサージ動作を施療部２０に実行させる。
【００３８】
一方、図５Ｂに示されるように、手が布地５５上に載せられたとき、第１の導電部５８Ａおよび第２の導電部５８Ｂと接触する。このため、第１の導電部５８Ａと第２の導電部５８Ｂとが掌を介して導通する。このため、電流が第２の導電部５８Ｂから第２の金属板５４および第２の電線５２を介して制御部４０に入力される。制御部４０は、制御部４０に入力された電流の大きさを測定し、測定された電流の大きさと掌の発汗量との関係の演算式を用いて掌の発汗量を演算する。
【００３９】
この演算式は、次のように求められ、予め制御部４０に記憶されている。まず、掌の発汗量が測定され、その掌が布地５５上に載せられたときの電流の大きさが測定される。掌の発汗量が多くなるにつれて測定された電流の大きさが大きくなる傾向を示す。そして、測定された掌の発汗量と電流の大きさとの関係から演算式として近似関数が演算される。このため、制御部４０は、演算式に測定された電流の大きさを代入することにより掌の発汗量を演算する。
【００４０】
制御部４０は、操作部３０により選択されたマッサージコースのプログラムに基づくマッサージ動作を掌の発汗量に基づいて変更する。例えば制御部４０は、施療部２０における背中施療部２１および上肢施療部２３（ともに図１参照）による揉み玉の突出距離や被施療者に当たる位置、および、上肢施療部２３の３個のエアーバッグの膨張タイミングを変更する。制御部４０は、例えば掌の発汗量が多くなるにつれて揉み玉の突出距離を小さくする。また制御部４０は、例えば掌の発汗量が基準値以上となるとき、上肢施療部２３の３個のエアーバッグへの空気の給排を制御するモーターの制御を通じて、３個のエアーバッグの膨張タイミングを異ならせる。
【００４１】
本実施形態によれば、例えば以下の作用および効果を奏する。
（１）マッサージ機１は、アームレスト１４の表面を形成する第１の導電部５８Ａおよび第２の導電部５８Ｂと、掌が第１の導電部５８Ａおよび第２の導電部５８Ｂに接触したときの電流の大きさを測定する測定部５０とを備える。この構成によれば、生体情報と身体を流れる電気との間に相関関係を有するため、掌が第１の導電部５８Ａおよび第２の導電部５８Ｂに接触したときの電流の大きさを測定することにより生体情報（精神性発汗）として掌の発汗量を測定することができる。
【００４２】
さらに、第１の導電部５８Ａおよび第２の導電部５８Ｂが特許文献１の測定部と比較して、アームレスト１４の形状に対する凹凸が小さいため、第１の導電部５８Ａおよび第２の導電部５８Ｂが被施療者の身体を阻害しにくくなる。このため、被施療者がリラックスした姿勢を取りやすくなる。
【００４３】
（２）被施療者の身体の大きさやアームレスト１４に接触するときの被施療者の姿勢に応じてアームレスト１４の長手方向となる前後方向においてアームレスト１４に手が接触する位置が異なる。そこで、マッサージ機１によれば、第１の導電部５８Ａおよび第２の導電部５８Ｂがアームレスト１４の前後方向に延びている。このため、アームレスト１４に手が接触する位置が異なったとしても身体が第１の導電部５８Ａおよび第２の導電部５８Ｂに接触しやすくなる。
【００４４】
（３）測定部５０は、アームレスト１４の一部を覆う布地５５を備え、布地５５に第１の導電部５８Ａおよび第２の導電部５８Ｂが形成される。この構成によれば、布地５５がアームレスト１４の表面の形状と同形状となるため、第１の導電部５８Ａおよび第２の導電部５８Ｂが手をより阻害しにくくなる。したがって、被施療者がリラックスした姿勢をより取りやすくなる。
【００４５】
（４）布地５５は、絶縁糸５７により形成される絶縁部５９と、絶縁部５９に縫われ、互いに絶縁される導電糸５６である第１の導電部５８Ａおよび第２の導電部５８Ｂとを備える。この構成によれば、布地５５から第１の導電部５８Ａおよび第２の導電部５８Ｂが突出しにくくなるため、手をより阻害しにくくなる。したがって、被施療者がリラックスした姿勢をより取りやすくなる。
【００４６】
（５）マッサージ機１は、精神性発汗を測定する。この構成によれば、アームレスト１４が精神性発汗する部位を支持した状態でマッサージ機１が被施療者をマッサージしたとき、精神性発汗量に応じて測定部５０により測定された電流が異なる。このため、被施療者の精神性発汗量が求められる。したがって、被施療者の緊張状態を測定することができる。
【００４７】
（６）マッサージ機１によれば、第１の導電部５８Ａと第１の金属板５３とを接続し、第１の金属板５３と第１の電線５１とを接続することにより第１の導電部５８Ａと第１の電線５１とを電気的に接続する。また第２の導電部５８Ｂと第２の金属板５４とを接続し、第２の金属板５４と第２の電線５２とを接続することにより第２の導電部５８Ｂと第２の電線５２とを電気的に接続する。このため、各導電部５８Ａと各電線５１，５２とを直接的に接続すると仮定した構成と比較して、第１の導電部５８Ａと第１の電線５１との電気的な接続、および、第２の導電部５８Ｂと第２の電線５２との電気的な接続を容易に実現することができる。
【００４８】
（７）上肢施療部２３を覆うように布地５５が配置される。この構成によれば、測定部５０により掌の発汗量を測定しながら手および前腕をマッサージすることができる。また布地５５に第１の導電部５８Ａおよび第２の導電部５８Ｂが形成されるため、上肢施療部２３により手および前腕をマッサージしたときに測定部５０が手に接触しても被施療者が違和感を覚えることが抑制される、または、実質的に被施療者が違和感を覚えない。
【００４９】
（８）マッサージ機１は、上肢カバー１５を備える。このため、アームレスト１４および上肢カバー１５により手の動きが規制されるため、手が布地５５から離れることが抑制される。したがって、マッサージ機１は、掌の発汗量を好適に測定することができる。
【００５０】
（９）被施療者の掌の発汗量は、被施療者がマッサージされることにより変化する。そこで、制御部４０は、操作部３０により選択されたマッサージコースの実行期間にわたり測定部５０により測定された掌の発汗量に基づいて操作部３０により選択されたマッサージコースのプログラムに基づくマッサージ動作を変更する。したがって、制御部４０が被施療者の掌の発汗量の変化に応じてマッサージすることができる。
【００５１】
（１０）オットマン１３の足裏を支持する部分が測定部５０を備えていない。このため、測定部５０による掌の発汗量を測定しながら施療部２０によりマッサージされるとき、下肢施療部２２によりマッサージされなければ、必ずしも足裏をオットマン１３に載せていなくてもよい。これにより、足裏をどこに置いてもよいため、被施療者の姿勢の自由度が広がる。
【００５２】
（変形例）
実施の形態に関する説明は本発明に従うマッサージ機が取り得る形態の例示であり、その形態を制限することを意図していない。本発明に従うマッサージ機は実施の形態以外に例えば以下に示される実施の形態の変形例、および、相互に矛盾しない少なくとも２つの変形例が組み合わせられた形態を取り得る。
【００５３】
・第１の導電部５８Ａおよび第２の導電部５８Ｂの別の例によれば、図６に示されるように、第１の導電部５８Ａおよび第２の導電部５８Ｂのそれぞれが布地５５に複数形成される。複数の第１の導電部５８Ａは、布地５５の後端部において第１の金属板５３と電気的に接続される。複数の第２の導電部５８Ｂは、布地５５の後端部において第２の金属板５４と電気的に接続される。
【００５４】
・第１の導電部５８Ａおよび第２の導電部５８Ｂのさらに別の例によれば、図７に示されるように、第１の導電部５８Ａおよび第２の導電部５８Ｂのそれぞれが波状（蛇腹状）に形成される。なお、図７の第１の導電部５８Ａおよび第２の導電部５８Ｂは、図６の第１の導電部５８Ａおよび第２の導電部５８Ｂのように複数形成されてもよい。
【００５５】
・第１の導電部５８Ａおよび第２の導電部５８Ｂのさらに別の例によれば、図８に示されるように、複数の第１の導電部５８Ａがアームレスト１４の長手方向において離間して形成される。また複数の第２の導電部５８Ｂがアームレスト１４の長手方向において離間して形成される。
【００５６】
・第１の導電部５８Ａおよび第２の導電部５８Ｂのさらに別の例によれば、第１の導電部５８Ａおよび第２の導電部５８Ｂがアームレスト１４の短手方向に延びる。第１の導電部５８Ａおよび第２の導電部５８Ｂはアームレスト１４の長手方向に互いに離間する。また第１の導電部５８Ａおよび第２の導電部５８Ｂはそれぞれ複数形成され、アームレスト１４の長手方向において交互に形成されてもよい。
【００５７】
・第１の導電部５８Ａおよび第２の導電部５８Ｂのさらに別の例によれば、導電糸５６に代えて布地５５または革に貼り付けられる導電テープである。要するに、第１の導電部５８Ａおよび第２の導電部５８Ｂは、導電性および柔軟性を有する材料であれば、導電糸５６および導電テープ以外の材料であってもよい。
【００５８】
・金属端子は、第１の導電部５８Ａと第１の電線５１との電気的な接続、および、第２の導電部５８Ｂと第２の電線５２との電気的な接続が実現できれば、リンク状等の板状以外の形状であってもよい。
【００５９】
・測定部５０の別の例によれば、第１の金属板５３に代えて、フレキシブル回路基板またはリジッド回路基板により第１の導電部５８Ａと第１の電線５１とを電気的に接続する。要するに、第１の導電部５８Ａと第１の電線５１との電気的な接続は、第１の金属板５３に限られず、導電性を有する部材であればよい。なお、第２の導電部５８Ｂと第２の電線５２との電気的な接続構造も同様に変更できる。
【００６０】
・測定部５０の別の例によれば、第１の導電部５８Ａと第１の電線５１とを直接的に接続する。また第２の導電部５８Ｂと第２の電線５２とを直接的に接続する。
・制御部４０の別の例によれば、第１の導電部５８Ａおよび第２の導電部５８Ｂに一定の電流を供給し、第１の導電部５８Ａおよび第２の導電部５８Ｂに手が載せられたときの第１の導電部５８Ａと第２の導電部５８Ｂとの電位差を測定する。別の例の制御部４０は、測定された電位差に基づいて生体情報を測定する。
【００６１】
・制御部４０のさらに別の例によれば、第１の導電部５８Ａと第２の導電部５８Ｂとの電位差と、測定された電流とを乗算することにより電力を演算する。さらに別の例の制御部４０は、演算された電力に基づいて生体情報を測定する。
【００６２】
・制御部４０のまたさらに別の例によれば、第２の導電部５８Ｂに供給される一定の電流と、第１の導電部５８Ａと第２の導電部５８Ｂとの電位差とを乗算することにより電力を演算する。またさらに別の例の制御部４０は、演算された電力に基づいて生体情報を測定する。
【００６３】
・アームレスト１４の別の例によれば、前腕の形状の凹部により構成される。要するにアームレスト１４は、前腕および手を支持することが可能な形状であればよい。
・アームレスト１４のさらに別の例によれば、布地５５がアームレスト１４の表面の全体を構成する。
【００６４】
・マッサージ機１の別の例によれば、支持部の一例であるオットマン１３において足裏を支持する部分である足裏支持部に測定部５０を取り付ける。測定部５０は、足裏の発汗量を測定する。そして、別の例のマッサージ機１は、操作部３０により選択されたマッサージプログラムに基づくマッサージ動作を足裏の発汗量に基づいて変更する。この構成によれば、別の例のマッサージ機１が上肢施療部２３を用いずに被施療者をマッサージするとき、精神性発汗を測定するために手をアームレスト１４に載せなくてもよい。このため、被施療者はマッサージされながら他の作業を行うことができる。
【００６５】
・マッサージ機１のさらに別の例によれば、左右の掌の発汗量の一方または左右の足裏の一方の発汗量に基づいて、操作部３０により選択されたマッサージプログラムに基づくマッサージ動作を変更する。
【００６６】
・マッサージ機１のまたさらに別の例によれば、オットマン１３、アームレスト１４、下肢施療部２２、上肢施療部２３、および、上肢カバー１５の少なくとも１つを備えていない。
【００６７】
・マッサージ機は、椅子型のマッサージ機１に限られない。マッサージ機の一例は、アームレストからなるマッサージ機、または、オットマンからなるマッサージ機である。
【産業上の利用可能性】
【００６８】
本マッサージ機は、家庭用および商業用のマッサージ機に利用できる。
【符号の説明】
【００６９】
１      マッサージ機
１３    オットマン
１４    アームレスト（支持部）
２０    施療部
２３    上肢施療部
４０    制御部
５０    測定部
５１    第１の電線
５２    第２の電線
５３    第１の金属板（第１の金属端子）
５４    第２の金属板（第２の金属端子）
５５    布地
５６    導電糸
５７    絶縁糸（絶縁性の糸）
５８Ａ  第１の導電部
５８Ｂ  第２の導電部
５９    絶縁部
【図１】
2016101379.tif 000003
【図２Ａ】
2016101379.tif 000004
【図２Ｂ】
2016101379.tif 000005
【図３】
2016101379.tif 000006
【図４】
2016101379.tif 000007
【図５Ａ】
2016101379.tif 000008
【図５Ｂ】
2016101379.tif 000009
【図６】
2016101379.tif 000010
【図７】
2016101379.tif 000011
【図８】
2016101379.tif 000012